(57)【特許請求の範囲】
【請求項１】
複数の選択信号を伝達する複数の走査線と、入力信号により形成された複数のデータ信号を伝達する複数のデータ線と、前記走査線および前記データ線に連結されて形成されている複数の画素を含む表示部と、
前記複数のデータ線の各々に対応して形成された複数の列バリア電極および前記複数の走査線の中少なくとも一つに対応して形成された複数の行バリア電極を含むバリア部と、を含み、
前記バリア部は、
前記列バリア電極の中、一定間隔で配列された複数の第１列バリア電極と前記複数の第１列バリア電極の各々に対応する複数の第２列バリア電極に区分されて、前記第１列バリア電極と前記複数の行バリア電極の各々が交差する領域と前記第２列バリア電極と前記複数の行バリア電極の各々が交差する領域が異なり、
前記複数の各々の第１および第２列バリア電極は、前記データ線に平行に形成され、前記複数の各々の行バリア電極は前記走査線に平行に形成され、
前記複数の各々の行バリア電極は、複数の走査線のうちの少なくとも二つに対応し、
前記対応される少なくとも二つの走査線のうちのいずれか一つに選択信号が印加される時点に同期して、前記行バリア電極に第１レベルの電圧、第２レベルの電圧、または第３レベルの電圧のバリア走査信号を印加するバリア駆動部をさらに含み、
前記第１列バリア電極と前記第２列バリア電極は、各々前記第１レベルの電圧および前記第２レベルの電圧が印加され、前記第１および第２列バリア電極と各々に対応される行バリア電極間との電圧差が所定のしきい電圧以上であれば、前記第１および第２列バリア電極の各々と前記対応される行バリア電極間の交差領域が透過領域となり、前記第１および第２列バリア電極と各々に対応される行バリア電極間との電圧差が所定のしきい電圧未満であれば、前記第１および第２列バリア電極の各々と前記対応される行バリア電極間の交差領域が不透過領域となり、
前記バリア駆動部は、前記対応する少なくとも二つの走査線に最初の選択信号が印加される時点から最後の選択信号が印加される時点までの期間に、前記行バリア電極に前記第３レベルの電圧を印加し続け、
前記第１レベルの電圧と前記第３レベルの電圧との電圧差、および前記第２レベルの電圧と前記第３レベルの電圧との電圧差は、前記しきい電圧より小さく、前記第１列バリア電極に印加される電圧と前記第２列バリア電極に印加される電圧が異なることを特徴とする電子映像機器。
【請求項２】
前記選択信号が複数の走査線の中の対応する第１走査線に印加される時点に同期して、前記第１走査線に対応する前記行バリア電極に第１レベルの電圧を有するバリア走査信号が印加され、
前記第１走査線は，前記対応する少なくとも二つの走査線のうち，最後の前記選択信号が印加される走査線であることを特徴とする請求項１に記載の電子映像機器。
【請求項３】
前記バリア駆動部は、前記対応する少なくとも二つの走査線に選択信号が印加される最後の時点に同期して、前記行バリア電極に第１レベルの電圧のバリア走査信号を印加することを特徴とする請求項１に記載の電子映像機器。
【請求項４】
前記入力信号は、第１視点に対応する第１映像情報と第２視点に対応する第２映像情報を含み、前記第１および第２映像情報を合成して第１映像データおよび第２映像データを生成する信号制御部をさらに含むことを特徴とする請求項１に記載の電子映像機器。
【請求項５】
前記表示部に前記第１映像データが表示される第１期間の間、前記複数の行バリア電極の各々に順次に前記選択信号に同期して、第１レベルの電圧を有する複数のバリア走査信号の各々を印加するバリア駆動部をさらに含むことを特徴とする請求項４に記載の電子映像機器。
【請求項６】
前記バリア駆動部は、前記第１期間後、前記第２映像データが表示される第２期間の間、前記複数の行バリア電極の各々に順次に前記選択信号に同期して前記複数のバリア走査信号のレベルを第２レベルの電圧に変更させることを特徴とする請求項５に記載の電子映像機器。
【請求項７】
前記第１映像情報は左眼視点の映像情報であり、前記第２映像情報は右眼視点の映像情報であり、前記第１映像データは前記第１映像情報および前記第２映像情報順に交互に合成して生成され、前記第２映像データは前記第２映像情報および前記第１映像情報順に交互に合成して生成されたことを特徴とする請求項６に記載の電子映像機器。
【請求項８】
前記第１列バリア電極と前記第２列バリア電極には、各々第３および第４レベルの電圧が印加されることを特徴とする請求項６に記載の電子映像機器。
【請求項９】
前記第１および第２期間の合計は、１つのフレームの映像が表示される期間に含まれることを特徴とする請求項８に記載の電子映像機器。
【請求項１０】
請求項１に記載された電子映像機器の複数のデータ線に対応して列方向に形成されている複数の第１バリア電極および前記電子映像機器の複数の走査線に対応して行方向に形成されている複数の第２バリア電極を含むバリア部を含み，
前記複数の第１バリア電極に前記複数の第２バリア電極の各々が交差し、前記第１バリア電極と前記第２バリア電極間の電圧差が所定のしきい電圧以上である領域と前記第１バリア電極と前記第２バリア電極間の電圧差が前記しきい電圧より小さい領域は異なる透過状態であり、
前記複数の第１バリア電極は、第１レベルの電圧が印加される第１列バリア電極と第２レベルの電圧が印加される第２列バリア電極に区分され、
前記複数の各々の第２バリア電極は、前記第２バリア電極と平行し、複数の選択信号を伝達する複数の前記走査線のうちの少なくとも二つに対応し、
前記対応される少なくとも二つの前記走査線のうちのいずれか一つに前記選択信号が印加される時点に同期して、前記第２バリア電極に第１レベルの電圧、第２レベルの電圧、または第３レベルの電圧のバリア走査信号を印加するバリア駆動部を含み、
前記第１列バリア電極と前記第２列バリア電極は、各々前記第１レベルの電圧および前記第２レベルの電圧が印加され、前記第１および第２列バリア電極と各々に対応される前記第２バリア電極間との電圧差が所定のしきい電圧以上であれば、前記第１および第２列バリア電極の各々と対応される前記第２バリア電極間の交差領域が透過領域となり、前記第１および第２列バリア電極と各々に対応される前記第２バリア電極間との電圧差が所定のしきい電圧未満であれば、前記第１および第２列バリア電極の各々と対応される前記第２バリア電極間の交差領域が不透過領域となり、
前記対応する少なくとも二つの走査線に最初の選択信号が印加される時点から最後の選択信号が印加される時点までの期間に、前記第２バリア電極に前記第３レベルの電圧が印加し続けられ、
前記第１レベルの電圧と前記第３レベルの電圧との電圧差、および前記第２レベルの電圧と前記第３レベルの電圧との電圧差は、前記しきい電圧より小さく、前記第１列バリア電極に印加される電圧と前記第２列バリア電極に印加される電圧が異なることを特徴とするバリア装置。
【発明の詳細な説明】
【技術分野】
【０００１】
本発明は電子映像機器に関し、具体的には立体映像を表示するためのバリア装置およびこれを含む電子映像機器に関する。
【背景技術】
【０００２】
一般に、人が立体感を感じる要因は生理的な要因と経験的な要因があるが、３次元映像表示技術では一般に近距離で立体感を認識する最も大きい要因である両眼視差（ｂｉｎｏｃｕｌａｒ  ｐａｒａｌｌａｘ）を利用して、物体の立体感を表現する。立体映像を表示する電子映像機器は、光学素子を利用して左右映像を空間的に分離して立体映像を表示する方式を使用する。代表的に、レンチキュラーレンズアレイ（ｌｅｎｔｉｃｕｌａｒ  ｌｅｎｓ  ａｒｒａｙ）を利用する方式と、パララックスバリア（ｐａｒａｌｌａｘ  ｂａｒｒｉｅｒ）を利用する方式がある。
【０００３】
このように立体映像を表示する場合、映像を左眼に映る映像（以下、「左眼映像」）と右眼に映る映像（以下、「右眼映像」）に分離するため、立体映像の解像度が半分に減少する問題が生じる。これを解決するために、平面映像を表示する時の駆動周波数より２倍以上の周波数で左眼映像と右眼映像が合成された立体映像を表示する駆動方法が用いられる。以下、図１Ａ、１Ｂおよび１Ｃを参照して、立体映像について説明する。
【０００４】
図１Ａは、１フレーム単位の左眼映像および右眼映像を示した図である。各画面（Ｌ、Ｒ）は、縦方向で８つの区域に区分されている。説明の便宜のために、８つの区域に区分されることに限定されず、電子映像機器の表示部の一つの行に配置された画素の数だけ各画面（Ｌ、Ｒ）を分割できる。
【０００５】
図１Ｂは、図１Ａに示された左眼および右眼映像を左眼映像および右眼映像の順に合成して生成された立体映像（ＬＲ）を示した図である。図１Ｃは、図１Ａに示された左眼および右眼映像を右眼映像および左眼映像の順に合成して生成された立体映像（ＲＬ）を示した図である。以下、左眼映像および右眼映像の順に合成して生成された立体映像を左右映像（ＬＲ）とし、右眼映像および左眼映像の順に合成して、生成された立体映像を右左映像（ＲＬ）という。
【０００６】
立体映像を表示するために、電子映像機器は左右映像と右左映像を高い駆動周波数で表わして、前述した画質低下を改善する。しかし、高い駆動周波数にもかかわらず、左右映像と右左映像が１フレーム内で混ざって、依然として画質低下問題が生じる。
【発明の開示】
【発明が解決しようとする課題】
【０００７】
本発明の目的は、立体映像の画質を改善させるバリア装置およびこれを含む電子映像機器を提供する。
【課題を解決するための手段】
【０００８】
本発明の第１の特徴による電子映像機器は、複数の選択信号を伝達する複数の走査線と、入力信号により形成された複数のデータ信号を伝達する複数のデータ線と、前記走査線および前記データ線に連結形成されている複数の画素を含む表示部と、前記複数のデータ線各々に対応して形成された複数の列バリア電極、および前記複数の走査線のうちの少なくとも一つに対応して形成された複数の行バリア電極を含むバリア部と、を含み、前記バリア部は、前記列バリア電極の中、一定間隔で配列された複数の第１列バリア電極と前記複数の第１列バリア電極の各々に対応する複数の第２列バリア電極に区分されて前記第１列バリア電極と前記複数の行バリア電極の各々が交差する領域と、前記第２列バリア電極と前記複数の行バリア電極が交差する領域が互いに異なる。前記複数の各々の各々の第１および第２列バリア電極は前記データ線に平行に形成され、前記複数の各々の行バリア電極は前記走査線に平行に形成されている。前記第１列バリア電極に印加される電圧と前記第２列バリア電極に印加される電圧が互いに異なる。前記選択信号が複数の走査線のうちの対応する第１走査線に印加される時点に同期して、前記第１走査線に対応する前記行バリア電極に第１レベルを有するバリア走査信号が印加される。前記複数の各々の行バリア電極は複数の各々の走査線に対応しながら、前記走査線に印加される選択信号に同期して前記行バリア電極に第１レベルのバリア走査信号を印加するバリア駆動部をさらに含む。または、前記複数の各々の行バリア電極は複数の走査線のうちの少なくとも二つに対応しながら、前記対応する少なくとも二つの走査線のうちのいずれか一つに選択信号が印加される時点に同期して、前記行バリア電極に第１レベルのバリア走査信号を印加するバリア駆動部をさらに含む。この時、前記バリア駆動部は、前記対応する少なくとも二つの走査線に選択信号が印加される最初の時点に同期して、前記行バリア電極に第１レベルのバリア走査信号を印加したり、前記対応する少なくとも二つの走査線に選択信号が印加される最後の時点に同期して、前記行バリア電極に第１レベルのバリア走査信号を印加したり、前記対応する少なくとも二つの走査線に選択信号が印加される最初の時点から最後の時点までの期間中の所定時点に、前記行バリア電極に第１レベルのバリア走査信号を印加できる。または、前記第１列バリア電極と前記第２列バリア電極は、各々第１レベルおよび第２レベルの電圧が印加され、前記各々の第１および第２列バリア電極に対応する行バリア電極間の電圧差が所定のしきい電圧以上であれば、前記各々の第１および第２列バリア電極と前記対応する行バリア電極間の交差領域が透過領域でなり、前記バリア駆動部は前記対応する少なくとも二つの走査線に最初の選択信号が印加される時点から最後の選択信号が印加される時点までの期間の間に、前記行バリア電極に第３レベルの電圧を印加する電子映像機器と、前記第１レベルと前記第３レベルの電圧差および前記第２レベルと前記第３レベルの電圧差が前記しきい電圧より小さい電子映像機器と、前記入力信号が第１視点（ｖｉｅｗ）に対応する第１映像情報と第２視点（ｖｉｅｗ）に対応する第２映像情報を含み、前記第１および第２映像情報を合成して、第１映像データおよび第２映像データを生成する信号制御部と、をさらに含む。
【０００９】
前記表示部に前記第１映像データが表示される第１期間の間、前記各々の複数の行バリア電極に順次に前記選択信号に同期して、第１レベルを有する複数の各々のバリア走査信号を印加するバリア駆動部をさらに含む。
【００１０】
前記バリア駆動部は、前記第１期間後、前記第２映像データが表示される第２期間の間、前記各々の複数の行バリア電極に順次に前記選択信号に同期して、前記複数のバリア走査信号のレベルを第２レベルに変更させる。
【００１１】
前記第１映像情報は左眼視点（ｖｉｅｗ）の映像情報であり、前記第２映像情報は右眼視点（ｖｉｅｗ）の映像情報であり、前記第１映像データは前記第１映像情報および前記第２映像情報順で交互に合成して生成されて、前記第２映像データは前記第２映像情報および前記第１映像情報順で交互に合成して生成される。
【００１２】
前記第１列バリア電極と前記第２列バリア電極には各々第３および第４レベルの電圧が印加される。前記第１レベルと前記第３レベルは所定のしきい電圧以上であり、前記第２レベルと前記第４レベルは前記しきい電圧以上である。
【００１３】
前記第１および第２期間の合計は１つのフレームの映像が表示される期間に含まれる。
【００１４】
本発明の第２の特徴によるバリア装置は、列方向に形成されている複数の第１バリア電極および行方向に形成されている複数の第２バリア電極を含むバリア部を含み、前記複数の第１バリア電極のうちのいずれか一つに前記各々の複数の第２バリア電極が交差して、前記複数の第２バリア電極のうちのいずれか一つに前記各々の複数の第１バリア電極が交差しながら、前記第１バリア電極と前記第２バリア電極間の電圧差が所定のしきい電圧以上である領域と、前記第１バリア電極と前記第２バリア電極間の電圧差が前記しきい電圧より小さい領域は異なる透過状態である。前記複数の第１バリア電極は第１レベルの電圧が印加される第１列バリア電極と第２レベルの電圧が印加される第２列バリア電極に区分され、前記各々の複数の第２バリア電極に順次に第３レベルおよび第４レベルの電圧を交互に有する複数のバリア走査信号を印加するバリア駆動部をさらに含む。前記第１レベルの電圧と前記第３レベルの電圧差は前記しきい電圧より大きくて、前記第２レベルの電圧と前記第４レベルの電圧差は前記しきい電圧より大きい。前記第１列バリア電極と前記第２列バリア電極は交互に形成され、前記第２バリア電極は前記第１および第２列バリア電極に垂直に形成されている。
【発明の効果】
【００１５】
本発明により、左右映像および右左映像が混ざって表示される映像を防ぎ、画質が改善された立体映像を提供できるバリア装置および電子映像機器を提供できる。
【発明を実施するための最良の形態】
【００１６】
以下、添付図を参照して、本発明の実施形態について、本発明が属する技術分野で通常の知識を有する者が容易に実施できるように詳しく説明する。しかし、本発明は多様な形態にて実施できるものであり、ここで説明する実施形態に限られない。そして、図面で本発明を明確に説明するために説明上不要な部分は省略し、明細書全体にわたって類似の部分については類似の図面符号を付けた。
【００１７】
明細書全体で、ある部分が他の部分と「連結」されているという時、これは「直接的に連結」されている場合だけでなく、その中間に他の素子を間において「電気的に連結」されている場合も含む。また、ある部分がある構成要素を「含む」とする時、これは特に反対の記載がない限り、他の構成要素を除くのではなく他の構成要素をさらに含むことがでることを意味する。
【００１８】
以下、本発明の実施形態による電子映像機器およびその駆動方法について説明する。
【００１９】
図２は本発明の実施形態による電子映像機器を示した図である。
【００２０】
図２に示したように、本発明の実施形態による電子映像機器は、表示部１００、バリア部１５０、走査駆動部２００、データ駆動部３００、制御部４００およびバリア駆動部５００を含む。
【００２１】
表示部１００は、選択信号を伝達する複数の走査線（Ｓ１−Ｓｎ）、複数の走査線（Ｓ１−Ｓｎ）と絶縁されて、交差形成されてデータ信号を伝達する複数のデータ線（Ｄ１−Ｄｍ）、および走査線とデータ線の交差点に形成された複数の画素１０５を含む。本発明の実施形態では、赤色（Ｒ）表示のための赤色副画素、緑色（Ｇ）表示のための緑色副画素、および青色（Ｂ）表示のための青色副画素が共に一つの画素を形成すると仮定する。また、本発明の実施形態における表示部１００の複数の画素は、左眼用映像に対応する画素（以下、「左眼用画素」）および右眼用映像に対応する画素（以下、「右眼用画素」）に区分される。この時、左眼用画素および右眼用画素は互いに繰り返されて、配列形成される。具体的には、左眼用画素および右眼用画素は、互いに平行して繰り返されるように配列されて、帯状に形成されたり、ジグザグ状に形成できる。このような左眼用画素および右眼用画素の配列は、バリア部１５０の構造により適合するように変更できる。本発明の実施形態による表示部１００の画素は、有機発光素子（ｏｒｇａｎｉｃ  ｌｉｇｈｔ  ｅｍｉｔｔｉｎｇ  ｄｉｏｄｅ）および有機発光素子を駆動させるために必要な画素回路を含む。
【００２２】
図３は本発明の実施形態による画素の構造を示した図である。
【００２３】
本発明の実施形態による画素は、駆動トランジスタ（Ｍ１）、スイッチングトランジスタ（Ｍ２）、容量性素子（Ｃ１）、および有機発光素子（ＯＬＥＤ）を含む。有機発光素子は、ダイオード特性があり、アノード、有機薄膜、カソード電極層の構造を有する。
【００２４】
画素１０５は、複数の走査線のうちの一つの走査線（Ｓｉ）および複数のデータ線のうちの一つのデータ線（Ｄｊ）が交差する領域に位置し、走査線（Ｓｉ）およびデータ線（Ｄｊ）に連結されている。駆動トランジスタ（Ｍ１）は、ゲート電極およびソース電極に印加される電圧に対応して駆動電流を生成する。スイッチングトランジスタ（Ｍ２）は、走査線（Ｓｉ）から伝えられる選択信号に応じて遮断され、スイッチングトランジスタ（Ｍ２）が導通すれば、データ線（Ｄｊ）から伝えられるデータ信号は駆動トランジスタのゲート電極に伝えられる。容量性素子（Ｃ１）は、駆動トランジスタ（Ｍ１）のゲート電極とソース電極の間に両端が連結されており、両端の電圧を一定に維持する。そして、駆動トランジスタ（Ｍ１）はゲート電極に伝えられたデータ信号の電圧とソース電極に印加される電源電圧（ＶＤＤ）の差に対応する駆動電流（ＩＯＬＥＤ）を生成する。このように生成された駆動電流（ＩＯＬＥＤ）は、ドレーン電極を通して、有機発光素子（ＯＬＥＤ）に流れる。有機発光素子（ＯＬＥＤ）は、駆動電流（ＩＯＬＥＤ）に対応して発光する。本発明による電子映像機器の発光素子は、有機発光素子に限定されず、さらにバックライトを含んで液晶素子を用いられる。
【００２５】
走査駆動部２００は、表示部１００の走査線（Ｓ１−Ｓｎ）に連結され、ゲートオン電圧とゲートオフ電圧の組み合わせで構成された選択信号を走査線（Ｓ１−Ｓｎ）に印加する。この時、走査駆動部２００は、複数の走査線（Ｓ１−Ｓｎ）に各々印加される複数の選択信号が順次にゲートオン電圧を有するように選択信号を印加できる。そして、選択信号がゲートオン電圧を有する場合に、該走査線に連結される画素回路のスイッチングトランジスタが導通される。
【００２６】
データ駆動部３００は、表示部１００のデータ線（Ｄ１−Ｄｍ）に連結され、階調を示すデータ信号をデータ線（Ｄ１−Ｄｍ）に印加する。このようなデータ駆動部３００は、制御部４００から入力される階調を有する入力映像データ（ＤＲ、ＤＧ、ＤＢ）を電圧または電流形態のデータ信号に変換する。
【００２７】
制御部４００は、外部から入力信号（ＩＳ）、水平同期信号（ＨｓｙｎＣ）および垂直同期信号（ＶｓｙｎＣ）を受信して、走査制御信号（ＣＯＮＴ１）、データ制御信号（ＣＯＮＴ２）、映像データ信号（ＤＲ、ＤＧ、ＤＢ）およびバリア駆動部制御信号（ＣＯＮＴ３）を生成して、各々の走査駆動部２００、データ駆動部３００およびバリア駆動部５００に伝達する。走査制御信号（ＣＯＮＴ１）は、走査開始を指示する走査開始信号および第１クロック信号を含む。この時、本発明の実施形態による走査開始信号は、１フレームの映像データ伝達の開始を指示する垂直同期信号に同期して、１フレームの映像を表示部に表示する時点を制御する信号である。１行の画素に対するデータ信号伝達を指示する水平同期信号に第１クロック信号は同期して、複数の走査線（Ｓ１−Ｓｎ）各々に選択信号を伝達する時点を制御する信号である。データ制御信号（ＣＯＮＴ２）は水平同期信号に同期して、一定の周期を有する第２クロック信号およびデータ信号伝達の開始を制御する水平同期開始信号などを含む。本発明の実施形態による電子映像機器の第１クロック信号および第２クロック信号は、左右映像（ＬＲ）と右左映像（ＲＬ）を１フレーム期間内に表示するために、入力された水平同期信号に比べて二倍の周波数を有する。一方、制御部４００は、１行分に相当する入力映像データをデータ駆動部３００に伝達する場合に、入力映像データ（ＤＲ、ＤＧ、ＤＢ）を三つのチャンネルを通して色別に伝達でき、入力映像データ（ＤＲ、ＤＧ、ＤＢ）を一つのチャンネルを通して順次に伝達することもできる。
【００２８】
ここで、制御部４００に入力される入力信号（ＩＳ）は、客体の３次元空間座標および表面情報を含めて平面上に立体的に表示される３Ｄグラフィックデータおよび各時点映像データを含む立体映像データである。制御部４００は、複数の走査線（Ｓ１−Ｓｎ）に伝えられる選択信号によってバリア部を駆動させるためのバリア駆動部制御信号（ＣＯＮＴ３）を生成する。バリア駆動部制御信号（ＣＯＮＴ３）は、垂直同期信号によって１フレームの開始を知らせるバリア駆動開始信号と第３クロック信号を含む。第３クロック信号は、バリア部１５０の複数のバリア電極の動作時点を制御するための適切な周波数を有する。具体的には、バリア部１５０の複数のバリア電極中に行方向に形成されているバリア電極が複数の走査線と一対一に対応する場合、第３クロック信号は第１クロック信号と同じ周波数を有する。これとは異なって、行方向に形成されているバリア電極に少なくとも二つの走査線が対応する場合、第３クロック信号は第１クロック信号より低い周波数を有する。
【００２９】
バリア駆動部５００は、バリア駆動部制御信号（ＣＯＮＴ３）によりバリア部１５０の動作を制御する。具体的には、バリア駆動部５００は、バリア走査信号（ＢＳ１−ｋ）を生成してバリア部１５０に伝達する。バリア部１５０は、複数のバリア走査信号（ＢＳ１−ｋ）により動作する。これに関する具体的な説明は後述する。
【００３０】
まず、図４を参照して本発明の実施形態による電子映像機器の駆動方式を説明する。
【００３１】
図４は本発明の実施形態による電子映像機器の駆動方式を示した図である。本発明の実施形態による電子映像機器は時分割駆動方式に従う。
【００３２】
時分割駆動方式は、１）光源を左右交互に動作させて、プリズムとレンチキュラーレンズの組み合わせで構成された光学素子を用いて左右を時分割的に区分する方法と、２）液晶バリアで光が通過するスリットを既存の一つに該当する区間を多数に分けてディスプレイされるイメージに同期させてスリットを移動させる方式がある。本発明の実施形態による電子映像機器は、前記の２）の方法を採用する。図４は基本的に両眼の場合で説明したが、本発明はこれに限定されず、多眼の場合にも同じ原理で動作する。
【００３３】
まず、図４（Ａ）は一つのフレームを期間（Ｔ１）および期間（Ｔ２）の２つの期間に分けて時分割駆動した時、最初、即ち第１の期間（Ｔ１）において左右映像（ＬＲ）が使用者に表示されるのを示した図である。図４（Ｂ）は第２の期間Ｔ２において右左映像（ＲＬ）が使用者に表示されるのを示した図である。
【００３４】
期間（Ｔ１）では、図４（Ａ）での表示部１００の奇数画素（ＯＰ）は左眼用画素、偶数画素（ＥＰ）は右眼用画素である。この時、バリア部１５０の奇数画素（ＢＯＰ）は不透過領域であり、偶数画素（ＢＥＰ）は透過領域となる。この時、不透過領域は、光学的に光を遮断する領域であり、透過領域は光を通過させる領域をいう。そこでは、図４（Ａ）で示したように、左眼映像が左眼に、右眼映像は右眼に投射される経路が形成される。奇数画素（ＯＰ）から投射される左眼用映像は右眼用映像に対して所定の偏差を有する映像に形成され、偶数画素（ＥＰ）から投射される右眼用映像は左眼用映像に対して所定の偏差を有する映像に形成される。従って、使用者は奇数画素（ＯＰ）から投射される左眼用映像および偶数画素（ＥＰ）から投射される右眼用映像を各々観察者の左眼および右眼で認識する時、実際に立体対象物を左眼右眼を通して見るのと同様の深さ情報を得ることができて立体感を感じるようになる。
【００３５】
そして、次の図４（Ｂ）において、表示部１００の奇数画素（ＯＰ）が右眼用画素、偶数画素（ＥＰ）は左眼用画素である。この時、バリア部１５０の奇数画素（ＢＯＰ）は透過領域であり、偶数画素（ＢＥＰ）は不透過領域となる。そして、図４（Ｂ）で示したように、左眼映像が左眼に、右眼映像は右眼に投射される経路が形成される。奇数画素（ＯＰ）から投射される右眼用映像は左眼用映像に対して所定の偏差を有する映像に形成され、偶数画素（ＥＰ）から投射される左眼用映像は右眼用映像に対して所定の偏差（ｄｉｓｐａｒｉｔｙ）を有する映像に形成される。従って、使用者は奇数画素（ＯＰ）から投射される右眼用映像および偶数画素（ＥＰ）から投射される左眼用映像を各々観察者の右眼および左眼で認識する時、実際に立体対象物を左眼右眼を通して見るのと同様な情報を得ることができて、立体感を感じるようになる。
【００３６】
このように、期間（Ｔ１）では奇数画素が左眼に、偶数画素が右眼に表示されて、期間（Ｔ２）では奇数画素が右眼に、偶数画素が左眼に表示される。しかし、複数の走査線（Ｓ１−Ｓｎ）に選択信号が伝えられるスキャン方向に沿って映像が表示されるため、期間（Ｔ１）の間に左右映像（ＬＲ）を表示した後、期間（Ｔ２）で右左映像（ＲＬ）全体を表示部１００に書き込む間に、表示部１００に左右映像（ＬＲ）と右左映像（ＲＬ）が混ざって見える領域が生じる。同様に、右左映像（ＲＬ）を表示した後、次の左右映像（ＬＲ）全体を表示部に書き込む間に、表示部１００に左右映像（ＬＲ）と右左映像（ＲＬ）が混ざって見える領域が生じる。これを解決するために、バリア部１５０は図５に示した構造を有する。
【００３７】
図５は本発明の実施形態によるバリア駆動部５００とバリア部１５０を簡単に示した図である。図５は説明の便宜のために、バリア部縦方向に形成された複数の列バリア電極（１５１＿１〜１１）および横方向に形成された複数の行バリア電極（１５２＿１〜１２）だけを示した。実際にはバリア部１５０は、図４で説明した通り表示部の１行の画素に対して不透過領域および透過領域を交互に形成できる個数の列バリア電極を含む。また、一つの行バリア電極に少なくとも表示部１００の一つの行が対応するように、バリア部１５０は複数の行バリア電極を含む。列バリア電極と行バリア電極が交差する領域は列バリア電極の電圧と行バリア電極の電圧差により不透過領域または透過領域で変更される。バリア部１５０がノーマリーホワイト（ｎｏｒｍａｌｌｙ  ｗｈｉｔｅ）の場合、行および列バリア電極の電圧差が所定電圧以上のときに不透過領域となって、そうではないときに透過領域に維持される。これとは異なって、バリア部１５０がノーマリーブラック（ｎｏｒｍａｌｌｙ  Ｂｌａｃｋ）の場合、行および列バリア電極の電圧差が所定電圧以上のときに、透過領域となって、そうではないときに不透過領域に維持される。本発明の実施形態による複数の列バリア電極（１５１＿１、３、５、７、９、１１）（以下、「第１列バリア電極群」）と他の複数の列バリア電極（１５１＿２、４、６、８、１０）（以下、「第２列バリア電極群」）各々に印加される電圧（ＶＢ１、ＶＢ２）は、各々異なるレベルの固定電圧である。バリア駆動部５００は、複数の行バリア電極（１５２＿１〜１２）に複数の各々のバリア走査信号（ＢＳ１−１２）を印加する。そして、列バリア電極と行バリア電極の交差領域の電圧差が所定電圧以上の領域はそうではない領域と区分されて、不透過領域または透過領域となる。以下、説明の便宜のために、ノーマリーホワイトのバリア部１５０について説明する。しかし、本発明がこれに限定されるのではない。
【００３８】
図６は、本発明の実施形態による電子映像機器が左右映像（ＬＲ）から右左映像（ＲＬ）に変更される間の表示部１００およびバリア部１５０の状態を示した図である。図６で上部に位置した時間による映像変化は表示部１００を示し、下部に位置した時間によるバリア変化はバリア部１５０を示す。図６は、説明の便宜のために任意の１フレーム期間の間だけ示した。任意の１フレームは期間（Ｔ１）および期間（Ｔ２）に区分され、各期間（Ｔ１、Ｔ２）は各々左右映像（ＬＲ）および右左映像（ＲＬ）を書き込む期間および維持する期間に区分される。期間（Ｔ１）は左右映像（ＬＲ）の書き込み期間（Ｔ１１）および左右映像（ＬＲ）の維持期間（Ｔ１２）に、期間（Ｔ２）は右左映像（ＲＬ）の書き込み期間（Ｔ２１）および右左映像（ＲＬ）の維持期間（Ｔ２２）に区分される。例えば、バリア部１５０は左右映像（ＬＲ１）を表示するためには図４、図５に示したように、第１列バリア電極と複数の行バリア電極が交差する領域が不透過領域でならなければならない（以下、「第１バリアモード（Ｂ１）」）。これとは異なって、右左映像（ＲＬ１）を表示するためには図４、図５に示したように、第２列バリア電極と複数の行バリア電極が交差する領域が不透過領域でならなければならない（以下、「第２バリアモード（Ｂ２）」）。これは本発明の実施形態を説明するための設定であり、本発明がこれに限定されるのではない。
【００３９】
複数の行バリア電極（１５２＿１〜１２）は、書き込み期間（Ｔ１１）の間の表示部１００に左右映像（ＬＲ１）が書き込まれる時点に同期してバリア走査信号（ＢＳ１−１２）により動作する。具体的には、電圧（ＶＢ１）が５Ｖ電圧であり電圧（ＶＢ２）が接地電圧の場合、第１列バリア電極群には５Ｖ電圧が印加され、第２列バリア電極群には接地電圧が印加される。この時、バリア走査信号（ＢＳ１−１２）が所定電圧以下の電圧となると、複数の行バリア電極と第１列バリア電極群が交差する領域の電圧差がバリア部が不透過領域となるための所定電圧（以下、「しきい電圧」）以上になって、交差領域は不透過領域となる。本発明の実施形態によるバリア走査信号（ＢＳ１−１２）は、行バリア電極と列バリア電極間の電圧差がしきい電圧以上になるようにする電圧と、そうではない電圧の組み合わせで構成される信号であり、しきい電圧は５Ｖに設定される。従って、バリア部１５０の第１バリアモード（Ｂ１）に駆動されるために、バリア走査信号（ＢＳ１−１２）は接地電圧以下であり、第２列バリア電極群との電圧差がしきい電圧以上にならない電圧範囲内で決定される。例えば、表示部１００に左右映像（ＬＲ１）を書き込むために入力される選択信号に同期してバリア走査信号（ＢＳ１−１２）が順次に接地電圧になれば、第１列バリア電極群と行バリア電極が交差する領域のバリア部は不透過領域となる。そして、表示領域が左右映像（ＬＲ１）となる所のバリア部１５０は、第１バリアモード（Ｂ１）に駆動される。同様に、期間（Ｔ２）で右左映像（ＲＬ１）を書き込むためには、第２列バリア電極群と行バリア電極間の電圧差がしきい電圧の以上にならなければならない。この時はバリア走査信号（ＢＳ１−１２）が第２列バリア電極群との電圧差がしきい電圧以上の電圧で、第１列バリア電極群との電圧差がしきい電圧以上にならない電圧範囲内で決定される。例えば、期間（Ｔ２１）の間の表示部１００に右左映像（ＲＬ１）を書き込むために入力される選択信号に同期してバリア走査信号（ＢＳ１−１２）が順次に５Ｖの電圧になると、第２列バリア電極群と複数の行バリア電極が交差する領域のバリア部は不透過領域となる。そして、表示部１００の表示領域中、右左映像（ＲＬ１）となる所のバリア部１５０は第２バリアモード（Ｂ２）に駆動される。説明の便宜のためにバリア走査信号（ＢＳ１−１２）が接地電圧と５Ｖの電圧を交互に有することに説明したが、バリア走査信号（ＢＳ１−１２）がこのレベルに限定されないで前記で言及した条件を満たせばよい。
【００４０】
図６で、直前フレームの右左映像（ＲＬ’）が表示部１００全体に表示されていて、時点（ｔ１）から現在フレームの左右映像（ＬＲ１）の書き込みが始まる。そうするとバリア部１５０は左右映像（ＬＲ１）が表示された領域だけ第１バリアモード（Ｂ１）で動作し、残り領域は第２バリアモード（Ｂ２）状態である。左右映像（ＬＲ１）が走査方向（図６の上から下方向）に書き込みが進められると、走査方向に同期して、第１バリアモード（Ｂ１）の領域は増加し、第２バリアモード（Ｂ２）の領域は減少する。時点（ｔ２）には左右映像（ＬＲ１）が表示部１００に全て書き込まれて、バリア部１５０全体が第１バリアモード（Ｂ１）となる。維持期間（Ｔ１２）の間に、左右映像（ＬＲ１）および第１バリアモード（Ｂ１）が維持される。時点（ｔ３）に右左映像（ＲＬ１）の書き込みが始まると、バリア部１５０は右左映像（ＲＬ１）が表示される領域だけ第２バリアモード（Ｂ２）となる。時点（ｔ４）には右左映像（ＲＬ１）が表示部１００に全て書き込まれて、バリア部１５０全体が第２バリアモード（Ｂ２）となる。維持期間（Ｔ２２）の間の右左映像（ＲＬ１）および第２バリアモード（Ｂ２）が維持される。このような方式を繰り返して、本発明の実施形態による電子映像機器は立体映像を表示する。
【００４１】
以下、図７乃至図１２を参照して、本発明の実施形態による電子映像機器で表示部とバリア部が同期して駆動される方法を説明する。
【００４２】
図７は、本発明の実施形態による電子映像機器の表示部１００とバリア部１５０の一部を示した図である。図７において、一つの行バリア電極に行方向に形成された複数の画素から構成された表示部１００の一つの行が対応する。従って、バリア部１５０の複数の行バリア電極は複数の走査線と同様にｍ個である。説明の便宜のために、表示部１００の一つの行に選択信号を印加する３つの走査線（ＳＡ−１、ＳＡ、ＳＡ＋１）および３つの走査線各々に対応する３つの行バリア電極（１５２＿Ａ−１、１５２＿Ａ、１５２＿Ａ＋１）および２つの列バリア電極（１５１＿ｐ、１５１＿ｐ＋１）を示した。図７において、列および行バリア電極は、走査線、データ線および画素が形成されている表示部１００の上に位置し、説明のために列および行バリア電極を一部だけ示して下部に位置した表示部１００を共に示した図である。各々の列および行バリア電極は縦および横方向に伸びて、表示部の上に位置する。列バリア電極（１５１＿ｐ）は第１列バリア電極群のうちの一つであり、列バリア電極（１５１＿ｐ＋１）は第２列バリア電極群のうちの一つである。
【００４３】
図８は、走査線（ＳＡ−１、ＳＡ、ＳＡ＋１）および行バリア電極（１５２＿Ａ−１、１５２＿Ａ、１５２＿Ａ＋１）各々に印加される選択信号およびバリア走査信号を示した図である。
【００４４】
時点（ｔ１１）で走査線（ＳＡ−１）の選択信号がローレベルになると、画素（１０５＿１）と同じ行に位置した全ての画素は複数のデータ線（Ｄ１−Ｄｍ）から伝えられるデータ信号によって発光を始める。この時、バリア走査信号（ＢＳＡ−１）はハイレベルからローレベルになって、第１列バリア電極群と行バリア電極（１５２＿Ａ−１）が交差する領域が不透過領域に変更される。この時、本発明の実施形態によるバリア走査信号のハイレベルは５Ｖであり、ローレベルは０Ｖであり、第１列バリア電極群には５Ｖの電圧が印加されている。
【００４５】
次の時点（ｔ１２）で走査線（ＳＡ）の選択信号がローレベルになると、画素（１０５＿２）と同じ行に位置した全ての画素は複数のデータ線（Ｄ１−Ｄｍ）から伝えられるデータ信号によって発光を始める。この時、バリア走査信号（ＢＳＡ）もローレベルになって、第１列バリア電極群と行バリア電極（１５２＿Ａ）が交差する領域が全て不透過領域に変更される。時点（ｔ１３）にもこれと同じ方式でバリア部に不透過領域が生成される。順次に走査線に選択信号が印加される時点に同期して順次にバリア部の不透過領域が変更されて、第１バリアモード（Ｂ１）にバリア部が変更される。
【００４６】
このようにバリア部の不透過領域が変更された後、左右映像の維持期間（図６のＴ１２）が通過した後に、右左映像の書き込み期間（図６のＴ２１）が始まると、各走査線に選択信号が印加される時点（ｔ１４、ｔ１５、ｔ１６）に同期してバリア走査信号はローレベルからハイレベルとなる。そしてバリア部の不透過領域が変更されて、第２バリアモード（Ｂ２）にバリア部が変更される。
【００４７】
図９Ａ、９Ｂ、および９Ｃは、時点（ｔ１１、ｔ１２）およびｔ１３各々のバリア部変化を示した図である。
【００４８】
図９Ａに示したように、時点（ｔ１１）に行バリア電極（１５２＿Ａ−１）と第１列バリア電極群（１５１＿ｐ、１５１＿ｐ＋２、１５１＿ｐ＋４、１５１＿ｐ＋６）が交差する領域が不透過領域になって第１バリアモード（Ｂ１）となる。行バリア電極（１５２＿Ａ−１）の下部領域はまだ右左映像（ＲＬ）が表示されているので、行バリア電極（１５２＿Ａ−１）の下に位置した行バリア電極（１５２＿Ａ−１５２＿ｍ）と第２列バリア電極群（１５１＿ｐ＋１、１５１＿ｐ＋３、１５１＿ｐ＋５、１５１＿ｐ＋７）が交差する領域は不透過領域となって、第２バリアモード（Ｂ２）となる。
【００４９】
図９Ｂで、時点（ｔ１２）に行バリア電極（１５２＿Ａ）と第１列バリア電極群（１５１＿ｐ、１５１＿ｐ＋２、１５１＿ｐ＋４、１５１＿ｐ＋６）が交差する領域が不透過領域となって第１バリアモード（Ｂ１）となる。行バリア電極（１５２＿Ａ）の下部領域はまだ右左映像（ＲＬ）が表示されているので、行バリア電極（１５２＿Ａ＋１−１５２＿ｍ）と第２列バリア電極群（１５１＿ｐ＋１、１５１＿ｐ＋３、１５１＿ｐ＋５、１５１＿ｐ＋７）が交差する領域は不透過領域となって、第２バリアモード（Ｂ２）となる。
【００５０】
図９Ｃでは、時点（ｔ１３）に行バリア電極（１５２＿Ａ＋１）と第１列バリア電極群（１５１＿ｐ、１５１＿ｐ＋２、１５１＿ｐ＋４、１５１＿ｐ＋６）が交差する領域が不透過領域となる。行バリア電極（１５２＿Ａ＋１）の下部領域はまだ右左映像（ＲＬ）が表示されているので、行バリア電極（１５２＿Ａ＋２−１５２＿ｍ）と第２列バリア電極群（１５１＿ｐ＋１、１５１＿ｐ＋３、１５１＿ｐ＋５、１５１＿ｐ＋７）が交差する領域は不透過領域となって、第２バリアモード（Ｂ２）となる。
【００５１】
このような方法で、不透過領域が走査線に選択信号が印加される時点に同期して変更されるので、右左映像で左右映像が書き込まれる期間の間に立体映像が左眼および右眼に分離されて投射される。そして右左映像と左右映像の画面が互いに混ざらずに画質が改善される。本発明の実施形態による電子映像機器は、左右映像で右左映像が書き込まれる期間またこれと同じ方式で動作する。
【００５２】
図１０は、本発明の第２の実施形態によるバリア部を示した図である。具体的には一つの行バリア電極に二つ以上の走査線が対応する構造で、図１０は３つの走査線が対応することを示した。しかし、本発明がこれに限定されるのではない。この時、行バリア電極は複数の走査線の数より少ない数である。列バリア電極（１５１＿ｄ）は第１列バリア電極群のうちの一つであり、列バリア電極（１５１＿ｄ＋１）は第２列バリア電極群のうちの一つである。
【００５３】
図１０に示したように、一つの行バリア電極（１５２＿ｈ）に３つの走査線（Ｓｂ、Ｓｂ＋１、Ｓｂ＋２）が対応する。この時、行バリア電極（１５２＿ｈ）にバリア走査信号（ＢＳｈ）を印加する時点は多様な方法で設定できる。例えば、行バリア電極に対応する複数の走査線中、一番目に画素にデータ信号を書き込むために選択信号が印加される時点に同期してバリア走査信号（ＢＳｈ）が印加できる。これとは異なって、第２および第３のうちのいずれか一つの選択信号によってバリア走査信号（ＢＳｈ）が印加できる。一方、最初の選択信号から第３選択信号が印加される期間中の任意の期間にバリア走査信号（ＢＳｈ）が印加できる。
【００５４】
図１１は本発明の第３の実施形態による電子映像機器で、行バリア電極に対応する複数の走査線に最初に選択信号が印加される時点に同期してバリア走査信号が印加されることを示したタイミング図である。
【００５５】
図１１に示したように、走査線（Ｓｂ）にローレベルの選択信号が印加される時点（ｔ２１）にバリア走査信号（ＢＳｈ）はハイレベルからローレベルとなる。以下、第１列バリア電極群には５Ｖの電圧が印加されているので、行バリア走査電極（１５２＿ｈ）と第１列バリア電極群が交差する領域が不透過領域となる。走査線（Ｓｂ＋３）にローレベルの選択信号が印加される時点（ｔ２２）に、バリア走査信号（ＢＳｈ＋１）はハイレベルからローレベルになる。以下、第１列バリア電極群には５Ｖの電圧が印加されているので、行バリア走査電極（１５２＿ｈ＋１）と第１列バリア電極が交差する領域が不透過領域となる。
【００５６】
左右映像の維持期間（Ｔ１２）後に右左映像の書き込み期間（Ｔ２１）が始まると、時点（ｔ２３）で走査線（Ｓｂ）にローレベルの選択信号が印加され、バリア走査信号（ＢＳｈ）はローレベルからハイレベルになる。以下、第２列バリア電極群には０Ｖの電圧が印加されているので、行バリア走査電極（１５２＿ｈ）と第２列バリア電極群が交差する領域が不透過領域となる。時点（ｔ２４）で走査線（Ｓｂ＋３）にローレベルの選択信号が印加され、バリア走査信号（ＢＳｈ＋１）はローレベルからハイレベルになる。以下、第２列バリア電極群には０Ｖの電圧が印加されているので、行バリア走査電極（１５２＿ｈ＋１）と交差する第２列バリア電極群が交差する領域が不透過領域となる。
【００５７】
図１２は本発明の第４の実施形態による電子映像機器で、行バリア電極に対応する複数の走査線に最後に選択信号が印加される時点に同期してバリア走査信号が印加されることを示したタイミング図である。
【００５８】
図１２に示したように、走査線（Ｓｂ−１）にローレベルの選択信号が印加される時点（ｔ３１）にバリア走査信号（ＢＳｈ−１）はハイレベルからローレベルになる。以下、第１列バリア電極群には５Ｖの電圧が印加されているので、行バリア走査電極（１５２＿ｈ−１）と第１列バリア電極群が交差する領域が不透過領域となる。走査線（Ｓｂ＋２）にローレベルの選択信号が印加される時点（ｔ３２）にバリア走査信号（ＢＳｈ）はハイレベルからローレベルになる。以下、第１列バリア電極群には５Ｖの電圧が印加されているので、行バリア走査電極（１５２＿ｈ）と第１列バリア電極が交差する領域が不透過領域となる。
【００５９】
左右映像の維持期間（Ｔ１２）が終わった後に右左映像の書き込み期間（Ｔ２１）が始まると、時点（ｔ３３）で走査線（Ｓｂ−１）にローレベルの選択信号が印加され、バリア走査信号（ＢＳｈ−１）はローレベルからハイレベルになる。以下、第２列バリア電極には０Ｖの電圧が印加されているので、行バリア走査電極（１５２＿ｈ−１）と第２列バリア電極群が交差する領域が不透過領域となる。時点（ｔ３４）で走査線（Ｓｂ＋２）にローレベルの選択信号が印加され、バリア走査信号（ＢＳｈ）はローレベルからハイレベルになる。以下、第２列バリア電極群には０Ｖの電圧が印加されているので、行バリア走査電極（１５２＿ｈ）と第２列バリア電極群が交差する領域が不透過領域となる。本発明の他の実施形態ではバリア走査信号が行バリア電極に対応する最後の選択信号が印加され始める時点で同期して電圧レベルが変更されることで説明した。しかし、これとは異なって最後の選択信号が印加される期間が終了する時点で同期して電圧レベルが変更できる。具体的には、図１２で、バリア走査信号（ＢＳｈ−１）は選択信号（Ｓｂ−１）がローレベルからハイレベルに変更される時点で同期してハイレベルからローレベルに変更できる。
【００６０】
このように、多様な方式で選択信号に同期させて、バリア電極に印加される電圧レベルを変更させて、バリア部の不透過領域が変更できる。
【００６１】
図１１で示したタイミングによりバリア部の不透過領域が変更される場合、時点（ｔ２１）にバリア部は左右映像に適合するように変更されたが、走査線（Ｓｂ＋１、Ｓｂ＋２）に連結された画素は右左映像を表示しているため、画質低下が生じる。ただし、走査線（Ｓｂ＋２）に選択信号が印加されて、右左映像から左右映像に変わるまでの時間が非常に短くて、使用者が認識できないうちに、このような画質低下は無視される。同様に、図１２に示したタイミングによりバリア部の不透過領域が変更される場合、時点（ｔ３１）にバリア部は左右映像が書き込まれるが、バリア部はまだ右左映像に適した第２モード（Ｂ２）であるため、画質低下が生じることがありうる。ただし、走査線（Ｓｂ）に選択信号が印加される時点からバリア走査信号（ＢＳｈ）のレベルが変更される時点までの時間が非常に短くて、使用者が認識できない時、このような画質低下は無視できる。つまり、一つの行バリア電極に対応する複数の走査線の数は使用者に認識される画質低下が無視できる範囲に定めなければならない。
【００６２】
一つの行バリア電極に対応する複数の走査線の数が増加して、使用者に画質低下が認識されるのを減すために、行バリア電極に対応する複数の走査線に最初に選択信号が印加される時点から最後の選択信号が印加される時点までの期間の間に選択信号が印加されるバリア部をブランキング（Ｂｌａｎｋｉｎｇ）させることができる。具体的には、行バリア電極に所定レベルのバリア走査信号を印加して、行バリア電極領域全体を不透過領域にすることができる。以下、行バリア電極に対応する全体領域が不透過領域の場合をブランキング（Ｂｌａｎｋｉｎｇ）領域という。このためにはバリア部の列バリア電極と行バリア電極間の交差領域の電圧がしきい電圧より小さい場合、不透過領域であるノーマリブラックのバリア電極を使わなければならない。
【００６３】
図１３は、本発明の第５の実施形態による電子映像機器を示した図である。一つの行バリア電極（１５２＿ｗ）に五つの走査線（ＳＣ−２、ＳＣ−１、ＳＣ、ＳＣ＋１、ＳＣ＋２）が対応する。図１３は説明の便宜のために、バリア部の二つの列バリア電極（１５１＿ｙ、１５１＿ｙ＋１）および複数の行バリアのうちの一部だけを示した。具体的には、３つの行バリア電極（１５２＿ｗ−１、１５２＿ｗ、１５２＿ｗ＋１）、８つの走査線（ＳＣ−３、ＳＣ−２、ＳＣ−１、ＳＣ、ＳＣ＋１、ＳＣ＋２、ＳＣ＋３、ＳＣ＋４）、二つのデータ線（Ｄｆ、Ｄｆ＋１）および走査線とデータ線が交差する領域に複数の画素が位置する。列バリア電極（１５１＿ｑ）は第２列バリア電極群のうちの一つであり、列バリア電極（１５１＿ｑ＋１）は第１列バリア電極群のうちの一つである。
【００６４】
図１４は本発明の第６の実施形態による電子映像機器に印加される選択信号およびバリア走査信号を示した図である。本発明の第６の実施形態による電子映像機器のバリア部は、ノーマリブラックであり、行バリア電極に対応する複数の走査線に選択信号が伝えられる間、その行バリア電極が位置したバリア部の領域はブランキングとなる。しきい電圧は５Ｖに設定しながら、第１列バリア電極（１５２＿ｑ）および第２列バリア電極（１５２＿ｑ＋１）に各々０Ｖおよび５Ｖが印加される。バリア走査信号が０Ｖより大きくて５Ｖより小さい範囲の場合、第１列バリア電極と行バリア電極間の電圧差および第２列バリア電極と行バリア電極間の電圧差はしきい電圧を超えることができず、行バリア電極が位置したバリア部の領域はブランキングされる。本発明の第６の実施形態によるバリア走査信号は、０Ｖ、２．５Ｖおよび５Ｖのレベルを有する信号である。２．５Ｖは行バリア電極と第１および第２列バリア電極間の電圧差がしきい電圧を超えないようにするレベルであり、本発明はこれに限定されるのではない。
【００６５】
時点（ｔ４１）に走査線（ＳＣ−３）に選択信号が印加されると、行バリア電極（１５２＿ｗ−１）に対応するすべての走査線には選択信号が印加される。そしてデータ信号によって画素が発光するので、時点（ｔ４１）に同期してバリア走査信号（ＢＳｗ−１）は２．５Ｖから０Ｖに変更される。そして、行バリア電極（１５２＿ｗ−１）と第２列バリア電極群間の電圧差がしきい電圧の以上になって、行バリア電極（１５２＿ｗ−１）と第２列バリア電極群間の交差領域は透過領域となる。そして行バリア電極（１５２＿ｗ−１）が位置した領域のバリア部１５０は第１バリアモード（Ｂ１）となる。時点（ｔ４２）に走査線（ＳＣ−２）に選択信号が印加されると、行バリア電極（１５２＿ｗ）に印加されるバリア走査信号（ＢＳｗ）は５Ｖから２．５Ｖになる。そして、行バリア電極（１５２＿ｗ）が第１列バリア電極群と第２列バリア電極群各々との電圧差が全てしきい電圧より小さいので、行バリア電極（１５２＿ｗ）が位置した領域のバリア部１５０はブランキングされる。時点（ｔ４３）で走査線（ＳＣ＋２）に選択信号が印加されると、行バリア電極（１５２＿ｗ）に対応する全ての走査線に選択信号が印加されて、データ信号によって画素が発光するので、時点（ｔ４３）に同期してバリア走査信号（ＢＳｗ）は２．５Ｖから０Ｖに変更される。そして、行バリア電極（１５２＿ｗ）と第２列バリア電極群間の電圧差がしきい電圧の以上になって、行バリア電極（１５２＿ｗ）と第２列バリア電極群間の交差領域は透過領域となる。そして行バリア電極（１５２＿ｗ）が位置した領域のバリア部１５０は第１バリアモード（Ｂ１）となる。時点（ｔ４４）で行バリア電極（１５２＿ｗ＋１）が位置したバリア部は第１バリアモード（Ｂ１）となる。このような方式で左右映像（ＬＲ１）を書き込む期間（Ｔ１１）が完了して、維持期間（Ｔ１２）間の左右映像が維持される。
【００６６】
右左映像（ＲＬ１）が書き込まれる期間（Ｔ２１）の間、時点（ｔ４６）で走査線（ＳＣ−２）に選択信号が印加されると、行バリア電極（１５２＿ｗ）に印加されるバリア走査信号（ＢＳｗ）は０Ｖから２．５Ｖになる。そして、行バリア電極（１５２＿ｗ）が第１列バリア電極群と第２列バリア電極群各々との電圧差が全てしきい電圧より小さいので、行バリア電極（１５２＿ｗ）が位置した領域のバリア部１５０はブランキングされる。時点（ｔ４７）で走査線（ＳＣ＋２）に選択信号が印加されると、行バリア電極（１５２＿ｗ）に対応する全ての走査線に選択信号が印加されて、データ信号によって画素が発光するので、時点（ｔ４７）に同期して、バリア走査信号（ＢＳｗ）は２．５Ｖから５Ｖに変更される。そして、行バリア電極（１５２＿ｗ）と第１列バリア電極群間の電圧差がしきい電圧以上になって、行バリア電極（１５２＿ｗ）と第１列バリア電極群間の交差領域は透過領域となる。そして行バリア電極（１５２＿ｗ）が位置した領域のバリア部１５０は第２バリアモード（Ｂ２）となる。同様に行バリア電極（１５２＿ｗ−１）が位置した領域のバリア部１５０は時点（ｔ４５）から第２バリアモード（Ｂ２）となる。時点（ｔ４８）で行バリア電極（１５２＿ｗ＋１）が位置したバリア部１５０はブランキングされる。本発明の他の実施形態では行バリア電極が位置した領域の最後の選択信号が印加され始める時点に同期してバリア走査信号の電圧レベルが変更されることを説明したが、最後の選択信号が印加される終了時点で同期してバリア走査信号の電圧レベルが変更できる。具体的には、バリア走査信号（ＢＳｗ）が選択信号（ＳＣ＋２）がローレベルからハイレベルになる時点に同期して０Ｖの電圧レベルに変更できる。
【００６７】
このような方式で、行バリア電極に対応する複数の走査線が位置した表示部の左右映像が右左映像に変わったり右左映像が左右映像に変わる時に、生じる画質劣化を減少できる。
【００６８】
以上、本発明の実施形態について詳細に説明したが、本発明の権利範囲はこれに限定されるのではなく、特許請求の範囲で定義している本発明の基本概念を利用した当業者の多様な変形および改良形態も、本発明の権利範囲に属する。
【図面の簡単な説明】
【００６９】
【図１Ａ】１フレーム単位の左眼映像および右眼映像を示した図である。
【図１Ｂ】図１Ａに示された左眼および右眼映像を左眼映像および右眼映像順で合成して、生成された立体映像（ＬＲ）を示した図である。
【図１Ｃ】図１Ａに示された左眼および右眼映像を右眼映像および左眼映像順で合成して、生成された立体映像（ＲＬ）を示した図である。
【図２】本発明の第１の実施形態による電子映像機器を示した図である。
【図３】本発明の第１の実施形態による画素の構造を示した図である。
【図４】本発明の第１の実施形態による電子映像機器の駆動方式を示す図である。
【図５】本発明の第１の実施形態によるバリア駆動部５００とバリア部１５０を簡単に示した図である。
【図６】本発明の第１の実施形態による電子映像機器が左右映像（ＬＲ）から右左映像（ＲＬ）に変更される間の表示部１００およびバリア部１５０を示した図である。
【図７】本発明の第１の実施形態による電子映像機器の表示部１００とバリア部１５０の一部を示した図である。
【図８】走査線（ＳＡ−１、ＳＡ、ＳＡ＋１）および行バリア電極（１５２＿Ａ−１、１５２＿Ａ、１５２＿Ａ＋１）各々に印加される選択信号およびバリア走査信号を示した図である。
【図９Ａ】時点ｔ１１のバリア部変化を示した図である。
【図９Ｂ】時点ｔ１２のバリア部変化を示した図である。
【図９Ｃ】時点ｔ１３のバリア部変化を示した図である。
【図１０】本発明の第２の実施形態によるバリア部を示した図である。
【図１１】本発明の第３の実施形態による電子映像機器において、行バリア電極に対応する複数の走査線に最初に選択信号が印加される時点に同期してバリア走査信号が印加されるのを示したタイミング図である。
【図１２】本発明の第４の実施形態による電子映像機器において、行バリア電極に対応する複数の走査線に最後が選択信号が印加される時点に同期してバリア走査信号が印加されるのを示したタイミング図である。
【図１３】本発明の第５の実施形態による電子映像機器を示した図である。
【図１４】本発明の第６の実施形態による電子映像機器に印加される選択信号およびバリア走査信号を示した図である。
【符号の説明】
【００７０】
１００        表示部
１０５        画素
１５０        バリア部
２００        走査駆動部
３００        データ駆動部
４００        制御部
５００        バリア駆動部
ＩＳ          入力信号
ＨｓｙｎＣ    水平同期信号
ＶｓｙｎＣ    垂直同期信号
ＣＯＮＴ１    走査制御信号
ＣＯＮＴ２    データ制御信号
ＣＯＮＴ３    バリア駆動部制御信号
ＢＳ１−ｋ      バリア走査信号
１５１＿１〜１１  列バリア電極
１５２＿１〜１２  行バリア電極
ＬＲ          左右映像
ＲＬ          右左映像
Ｂ１          第１バリアモード
Ｂ２          第２バリアモード
Ｔ１１、Ｔ１２  書き込み期間
Ｔ１２、Ｔ２２  維持期間
【図１Ａ】
0005867844.tif 000002
【図１Ｂ】
0005867844.tif 000003
【図１Ｃ】
0005867844.tif 000004
【図２】
0005867844.tif 000005
【図３】
0005867844.tif 000006
【図４】
0005867844.tif 000007
【図５】
0005867844.tif 000008
【図６】
0005867844.tif 000009
【図７】
0005867844.tif 000010
【図８】
0005867844.tif 000011
【図９Ａ】
0005867844.tif 000012
【図９Ｂ】
0005867844.tif 000013
【図９Ｃ】
0005867844.tif 000014
【図１０】
0005867844.tif 000015
【図１１】
0005867844.tif 000016
【図１２】
0005867844.tif 000017
【図１３】
0005867844.tif 000018
【図１４】
0005867844.tif 000019